(57)【要約】【課題】縦筋むらや振り筋の程度を低く抑えることができ、良好な表示品位を実現することができる垂直配向型の液晶表示装置を提供する。【解決手段】走査電極ドライバ３は、第１のグループおよび第２のグループのグループ毎に第１行の走査電極に近い方から順番に走査電極を選択するという第１の条件と、第１のグループまたは第２のグループのいずれか一方に属する走査電極を選択した場合、１選択期間空けて、その走査電極と同一グループに属する走査電極を選択し、その１選択期間中に他方のグループに属する走査電極を選択するという第２の条件とをともに満たすようにして、各走査電極を選択する。【選択図】図４
2013152298.tif 000002
【特許請求の範囲】
【請求項１】
複数の走査電極と複数の信号電極との間に液晶層を挟持する垂直配向型の液晶パネルと、
個々の走査電極を選択し、選択した走査電極を選択時電位に設定し、他の各走査電極を非選択時電位に設定する走査電極選択手段と、
前記走査電極選択手段によって選択された走査電極に対応する行の画像データに応じて各信号電極の電位を設定する信号電極電位設定手段とを備え、
連続して並ぶ一定数の走査電極群を１つのグループとして前記複数の走査電極は予め２以上の偶数のグループに分類され、各グループは先頭行の走査電極を含むグループ側から順序付けられ、
前記走査電極選択手段は、奇数番目のグループおよびその次の偶数番目のグループに属する走査電極を選択するときに、前記奇数番目のグループおよび前記偶数番目のグループのグループ毎に前記先頭行の走査電極に近い方から順番に選択するという第１の条件と、前記奇数番目のグループまたは前記偶数番目のグループのいずれか一方に属する走査電極を選択した場合、１選択期間空けて、当該走査電極と同一グループに属する走査電極を選択し、前記１選択期間中に他方のグループに属する走査電極を選択するという第２の条件とをともに満たす
ことを特徴とする液晶表示装置。
【請求項２】
複数の走査電極は２つのグループに分けられる請求項１に記載の液晶表示装置。
【請求項３】
複数の走査電極は４以上の偶数のグループに分けられ、
走査電極選択手段は、奇数番目のグループおよびその次の偶数番目のグループに属する各走査電極の選択を終了すると、次の奇数番目のグループおよびその次の偶数番目のグループに属する各走査電極の選択を開始する
請求項１に記載の液晶表示装置。
【請求項４】
連続して並ぶ一定数の走査電極群を１つのグループとして複数の走査電極を２以上の偶数のグループに分類する分類態様が複数定められ、
分類態様毎の走査電極の選択順序を記憶する選択順序記憶手段を備え、
走査電極選択手段は、外部から指定された分類態様に対応する走査電極の選択順序を選択順序記憶手段から読み込み、前記選択順序に従って走査電極を選択する
請求項１に記載の液晶表示装置。
【発明の詳細な説明】
【技術分野】
【０００１】
本発明は、液晶表示装置に関し、特に、垂直配向型の液晶表示装置に関する。
【背景技術】
【０００２】
複数の走査電極と、その複数の走査電極に直交する複数の信号電極とを有し、パッシブマトリクス駆動が適用される液晶表示装置では、一般に、プログレッシブまたはインターレース等の走査方法が採用される。
【０００３】
また、電圧が印加されないときの液晶分子の配向（初期配向）が基板面に対して略垂直な垂直配向となる液晶パネルがある。このような液晶パネルを垂直配向型の液晶パネルと呼ぶ。また、垂直配向型の液晶パネルを備える液晶表示装置を垂直配向型の液晶表示装置と呼ぶ。垂直配向型は、ＶＡ（Vertical Alignment）型とも称される。パッシブマトリクス駆動が適用される垂直配向型の液晶表示装置においても、プログレッシブまたはインターレース等の走査方法が採用される。
【０００４】
また、特許文献１には、走査電極の少なくとも１ラインをオフ信号ラインとすることによって、垂直配向型の液晶表示装置におけるむらの発生を防止する技術が記載されている。
【先行技術文献】
【特許文献】
【０００５】
【特許文献１】特開２０１０−１４５５９４号公報
【発明の概要】
【発明が解決しようとする課題】
【０００６】
パッシブマトリクス駆動が適用される垂直配向型の液晶表示装置にプログレッシブやインターレース等の走査方法を採用すると、縦筋むらや振り筋が生じる。縦筋むらは、縦方向に筋状に生じるむらである。縦筋むらは、連続する走査電極を順次選択することによる液晶分子の流動等に起因して生じる。また、振り筋とは、視点を固定して液晶表示装置を動かしたり、逆に、液晶表示装置を固定して視点を動かしたりしたときに認識されるむらである。換言すれば、振り筋は、視点と液晶表示装置が相対的に移動しているときに認識されるむらである。
【０００７】
縦筋むらや振り筋は、表示品位を低下させるので、縦筋むらや振り筋の程度を低く抑えることが好ましい。
【０００８】
特許文献１に記載の技術は、走査電極の少なくとも１ラインをオフ信号ラインとすることによって、むらの発生を防止する。しかし、その行の画素は黒色として視認されることになる。すなわち、黒色となる行が少なくとも１行存在することになる。そのような行の存在により、表示品位が低下する。
【０００９】
そこで、本発明は、縦筋むらや振り筋の程度を低く抑えることができ、良好な表示品位を実現することができる垂直配向型の液晶表示装置を提供することを目的とする。
【課題を解決するための手段】
【００１０】
本発明による液晶表示装置は、複数の走査電極と複数の信号電極との間に液晶層を挟持する垂直配向型の液晶パネル（例えば、液晶パネル１）と、個々の走査電極を選択し、選択した走査電極を選択時電位に設定し、他の各走査電極を非選択時電位に設定する走査電極選択手段（例えば、走査電極ドライバ２，２ａ）と、走査電極選択手段によって選択された走査電極に対応する行の画像データに応じて各信号電極の電位を設定する信号電極電位設定手段（例えば、信号電極ドライバ３）とを備え、連続して並ぶ一定数の走査電極群を１つのグループとして複数の走査電極は予め２以上の偶数のグループに分類され、各グループは先頭行の走査電極を含むグループ側から順序付けられ、走査電極選択手段が、奇数番目のグループおよびその次の偶数番目のグループに属する走査電極を選択するときに、その奇数番目のグループおよび偶数番目のグループのグループ毎に先頭行の走査電極に近い方から順番に選択するという第１の条件と、その奇数番目のグループまたは偶数番目のグループのいずれか一方に属する走査電極を選択した場合、１選択期間空けて、当該走査電極と同一グループに属する走査電極を選択し、その１選択期間中に他方のグループに属する走査電極を選択するという第２の条件とをともに満たすことを特徴とする。
【００１１】
複数の走査電極は２つのグループに分けられていてもよい。
【００１２】
複数の走査電極は４以上の偶数のグループに分けられ、走査電極選択手段が、奇数番目のグループおよびその次の偶数番目のグループに属する各走査電極の選択を終了すると、次の奇数番目のグループおよびその次の偶数番目のグループに属する各走査電極の選択を開始する構成であってもよい。
【００１３】
連続して並ぶ一定数の走査電極群を１つのグループとして複数の走査電極を２以上の偶数のグループに分類する分類態様が複数定められ、分類態様毎の走査電極の選択順序を記憶する選択順序記憶手段（例えば、メモリ７）を備え、走査電極選択手段が、外部から指定された分類態様に対応する走査電極の選択順序を選択順序記憶手段から読み込み、その選択順序に従って走査電極を選択する構成であってもよい。
【発明の効果】
【００１４】
本発明によれば、縦筋むらや振り筋の程度を低く抑えることができ、良好な表示品位を実現することができる。
【図面の簡単な説明】
【００１５】
【図１】本発明の第１の実施形態の液晶表示装置の例を示すブロック図。
【図２】液晶パネルの構成例を示す模式的断面図。
【図３】第１の実施形態における走査電極のグループを示す模式図。
【図４】第１の実施形態における走査電極の選択順序の例を示す模式図。
【図５】第２の実施形態における走査電極の選択順序の例を示す模式図。
【図６】第２の実施形態における走査電極の選択順序の他の例を示す模式図。
【図７】本発明の第３の実施形態の液晶表示装置の例を示すブロック図。
【図８】第２の実施形態における走査電極の選択順序の他の例を示す模式図。
【発明を実施するための形態】
【００１６】
以下、本発明の実施形態を図面を参照して説明する。
【００１７】
［実施形態１］図１は、本発明の第１の実施形態の液晶表示装置の例を示すブロック図である。本発明の液晶表示装置は、垂直配向型の液晶パネル１と、走査電極ドライバ２と、信号電極ドライバ３と、制御部４とを備える。液晶パネル１には、複数の走査電極１２と、走査電極１２に直交するように配置される複数の信号電極１３とが設けられる。
【００１８】
図２は、液晶パネル１の構成例を示す模式的断面図である。液晶パネル１は、第１の透明基板２１と、第２の透明基板２２とを備える。第１の透明基板２１には、複数の走査電極１２が形成され、第２の透明基板２２には、各走査電極１２に直交する複数の信号電極１３が形成される。走査電極１２および信号電極１３は、いずれも透明電極であり、例えば、ＩＴＯ（Indium Tin Oxide）によって形成される。
【００１９】
第１の透明基板２１および第２の透明基板２２は、走査電極１２と信号電極１３とが液晶層２５を挟んで対向するように配置され、第１の透明基板２１と第２の透明基板２２の間に液晶層２５が封止される。なお、透明基板２１，２２間に液晶層２５を封止するために用いる周辺シール材の図示は省略している。
【００２０】
また、電圧無印加状態において液晶分子を透明基板２１，２２に対して垂直に配向させる配向膜１８が走査電極１２および信号電極１３上に配置される。そして、液晶層２５の液晶分子は、電圧が印加されていないときに垂直配向となる。また、電圧が印加されると、液晶分子は透明基板２１，２２に対して水平に配向する。
【００２１】
また、第１の透明基板２１において液晶層２５とは反対側の面に、第１の偏光板２６が設けられる。同様に、第２の透明基板２２において液晶層２５とは反対側の面に、第２の偏光板２７が設けられる。第１の偏光板２６および第２の偏光板２７は、互いの偏光軸が直交するように配置される。すなわち、第１の偏光板２６の吸収軸と第２の偏光板２７の吸収軸も直交する。
【００２２】
なお、第１の偏光板２６の背面にはバックライト（図示略）が設けられる。
【００２３】
本発明では、前述の複数の走査電極１２（図１参照）は、予め複数のグループに分類される。以下、走査電極１２のグループ分けについて説明する。液晶パネル１に設けられた複数の走査電極１２は、連続して並ぶ一定数の走査電極群が１つのグループになるように、第１行（先頭行）側から順にグループに分類される。従って、各グループに属する走査電極１２の数は共通である。また、走査電極のグループは、第１行の走査電極を含むグループ側から順序付けられる。
【００２４】
また、走査電極をグループに分類する場合、グループの数が２以上の偶数になるように分類する。１つのグループに属する走査電極の数をｋとする。また、ｎを１以上の整数とすると、グループの数は２ｎで表される。
【００２５】
第１の実施形態では、ｎ＝１であり、グループの数が２である場合を示す。図３は、第１の実施形態における走査電極のグループを示す模式図である。第１の実施形態では、液晶パネル１に２ｋ本の走査電極を設ければよい。２ｋ本の走査電極１２において、第１行から第ｋ行まで連続して並ぶｋ本の走査電極が第１のグループとなる。そして、第ｋ＋１行から第２ｋ行まで連続して並ぶｋ本の走査電極が第２のグループとなる。
【００２６】
走査電極ドライバ２は、個々の走査電極１２を１本ずつ選択し、選択した走査電極を選択時電位に設定し、その他の各走査電極を非選択時電位に設定する。
【００２７】
走査電極ドライバ２は、奇数番目のグループ（本実施形態では、第１のグループ。図３参照。）およびその次の偶数番目のグループ（本実施形態では、第２のグループ。図３参照。）に属する走査電極を選択するときに、以下に示す第１の条件および第２の条件を満たすように走査電極を選択する。
【００２８】
第１の条件は、その奇数番目のグループおよび偶数番目のグループのグループ毎に第１行の走査電極に近い方から順番に選択するという条件である。従って、走査電極ドライバ２は、第１のグループ内では、第１行の走査電極から第ｋ行の走査電極までを順番に選択する。同様に、第２のグループ内では、第ｋ＋１行の走査電極から第２ｋ行の走査電極までを順番に選択する。
【００２９】
第２の条件は、その奇数番目のグループまたは偶数番目のグループのいずれか一方の走査電極を選択した場合、１選択期間空けて、その走査電極と同じグループに属する走査電極を選択し、その１選択期間中に他方のグループに属する走査電極を選択するという条件である。なお、１選択期間とは、１本の走査電極の選択期間である。
【００３０】
例えば、走査電極ドライバ２が、第１のグループに属する第１行の走査電極を選択したとする。すると、走査電極ドライバ２は、第１行の走査電極の選択期間の終了後、１選択期間空けて、その第１行の走査電極と同じ第１のグループに属する走査電極（第１の条件を満たすため、本例では第２行の走査電極）を選択する。また、走査電極ドライバ２は、その１選択期間中（具体的には、第１行の走査電極の選択期間の終了後の１選択期間中）に、第２のグループに属する走査電極を選択する。
【００３１】
また、例えば、走査電極ドライバ２が、第２のグループに属する第ｋ＋１行の走査電極を選択したとする。すると、走査電極ドライバ２は、第ｋ＋１行の走査電極の選択期間の終了後、１選択期間空けて、その第ｋ＋１行の走査電極と同じ第２のグループに属する走査電極（第１の条件を満たすため、本例では第ｋ＋２行の走査電極）を選択する。また、走査電極ドライバ２は、その１選択期間中（具体的には、第ｋ＋１行の走査電極の選択期間の終了後の１選択期間中）に、第１のグループに属する走査電極を選択する。
【００３２】
すなわち、走査電極ドライバ２は、第１のグループの走査電極と第２のグループの走査電極を交互に選択し、個々のグループ内では第１行（先頭行）に近い方から順に走査電極を選択する。
【００３３】
信号電極ドライバ３には、画像データが入力される。そして、信号電極ドライバ３は、走査電極ドライバ２によって選択された走査電極に対応する行の画像データに応じて、各信号電極の電位を設定する。例えば、走査電極ドライバ２が第１行の走査電極を選択したときには、信号電極ドライバ３は、第１行の画像データに応じて、各信号電極の電位を設定する。具体的には、信号電極ドライバ３は、各信号電極を、信号電極に対応する列と選択行とが交差する位置の画素の画像データに応じた電位に設定する。例えば、第１列の信号電極を、第１行第１列の画素の画像データに応じた電位に設定する。
【００３４】
走査電極ドライバ２および信号電極ドライバ３は、１つのＩＣ（Integrated Circuit）として実現されていてもよい。後述の各実施形態においても同様である。
【００３５】
制御部４は、走査電極ドライバ２および信号電極ドライバ３に対して、選択する走査電極の切り替えを指示する信号（以下、行切替信号と記す。）を入力する。走査電極ドライバ２は、行切替信号に基づいて、選択する走査電極を切り替える。また、信号電極ドライバ３は、行切替信号に基づいて、選択される走査電極の切替を検出する。そして、新たな選択行の画像データに応じて、各信号電極の電位を設定する。
【００３６】
なお、制御部４は、選択する走査電極の切り替えの他、正極性駆動とするか負極性駆動とするか等を制御してもよい。正極性駆動とは、選択した走査電極の電位が各信号電極の電位より高くなるように駆動することであり、負極性駆動とは、選択した走査電極の電位が各信号電極の電位より低くなるように駆動することである。
【００３７】
また、走査電極ドライバ２および信号電極ドライバ３は、例えば、ＩＡＰＴ（Improved Alto-Pleshko Technique ）駆動法で液晶パネル１を駆動する。以下、ＩＡＰＴ駆動法を例に説明するが、液晶パネル１の駆動法は、ＩＡＰＴ駆動法に限定されず、他の駆動法法であってもよい。例えば、走査電極ドライバ２および信号電極ドライバ３が、ＡＰＴ（Alto-Pleshko Technique）駆動法で液晶パネル１を駆動してもよい。
【００３８】
ＩＡＰＴ駆動法では、Ｖ０〜Ｖ５の６種類の電位を用いる。ただし、Ｖ０＞Ｖ１＞Ｖ２＞Ｖ３＞Ｖ４＞Ｖ５であり、また、Ｖ０−Ｖ１＝Ｖ１−Ｖ２＝Ｖ３−Ｖ４＝Ｖ４−Ｖ５である。
【００３９】
Ｖ０は、正極性駆動時に選択された走査電極に設定される電位（すなわち、正極性駆動時における選択時電位）である。また、Ｖ０は、負極性駆動時に最高輝度とすべき画素が存在する信号電極に設定される電位でもある。
【００４０】
Ｖ１は、負極性駆動時に選択されていない走査電極に設定される電位（すなわち、負極性駆動時における非選択時電位）である。
【００４１】
Ｖ２は、負極性駆動時に最低輝度とすべき画素が存在する信号電極に設定される電位である。
【００４２】
Ｖ３は、正極性駆動時に最低輝度とすべき画素が存在する信号電極に設定される電位である。
【００４３】
Ｖ４は、正極性駆動時に選択されていない走査電極に設定される電位（すなわち、正極性駆動時における非選択時電位）である。
【００４４】
Ｖ５は、負極性駆動時に選択された走査電極に設定される電位（すなわち、負極性駆動時における選択時電位）である。また、Ｖ５は、正極性駆動時に最高輝度とすべき画素が存在する信号電極に設定される電位でもある。
【００４５】
次に、本実施形態において、走査電極ドライバ２が走査電極１２を選択する動作について、具体的に説明する。図４は、第１の実施形態における走査電極１２の選択順序の例を示す模式図である。図４に示す横軸は時間の経過を表し、この横軸の左側ほど古い時刻であり、右側ほど新しい時刻である。また、図４に示すＴ１〜Ｔ１６は、それぞれ１本の走査電極の選択期間である。そして、行毎に黒色で表した期間は、その行の走査電極の選択期間を意味する。例えば、第１行の走査電極の選択期間はＴ１である（図４参照）。また、図４では、１つのグループに属する走査電極の数が８である場合を例に示している。図４に示す例では、走査電極の総数が１６本であり、第１行から第８行までの走査電極が第１のグループに分類され、第９行から第１６行までの走査電極が第２のグループに分類される。
【００４６】
なお、以下の説明では、正極性駆動を行う場合を例にする。
【００４７】
走査電極ドライバ２は、前述の第１の条件および第２の条件を満たすように走査電極を選択する。図４は、この２つの条件を満たす走査電極の選択順序の例を表している。
【００４８】
まず、走査電極ドライバ２は、フレームの最初の選択期間Ｔ１の間、第１のグループに属する第１行の走査電極を選択する（図４参照）。そして、走査電極ドライバ２は、第１行の走査電極の電位を正極性駆動時における選択時電位Ｖ０に設定し、他の各行の走査電極の電位を正極性駆動時における非選択時電位Ｖ４に設定する。
【００４９】
選択期間Ｔ１が終了すると、走査電極ドライバ２は、次の選択期間Ｔ２において、第２のグループに属する第９行の走査電極を選択する（図４参照）。そして、走査電極ドライバ２は、第９行の走査電極の電位をＶ０に設定し、他の各行の走査電極の電位をＶ４に設定する。
【００５０】
選択期間Ｔ２が終了すると、走査電極ドライバ２は、次の選択期間Ｔ３において、第１のグループに属する第２行の走査電極を選択する（図４参照）。そして、走査電極ドライバ２は、第２行の走査電極の電位をＶ０に設定し、他の各行の走査電極の電位をＶ４に設定する。
【００５１】
選択期間Ｔ３が終了すると、走査電極ドライバ２は、次の選択期間Ｔ４において、第２のグループに属する第１０行の走査電極を選択する（図４参照）。そして、走査電極ドライバ２は、第１０行の走査電極の電位をＶ０に設定し、他の各行の走査電極の電位をＶ４に設定する。
【００５２】
以後、同様に、走査電極ドライバ２は、第１のグループの走査電極と第２のグループの走査電極を交互に選択し、個々のグループ内では第１行（先頭行）に近い方から順に走査電極を選択する。
【００５３】
このような選択順序は、第１の条件を満たしている。
【００５４】
また、上記のような順序で走査電極を選択した場合、第２の条件も満たす。例えば、走査電極ドライバ２は、第１のグループに属する第１行の走査電極の選択期間Ｔ１の後、１選択期間（具体的には、選択期間Ｔ２）分の期間を空けてから、第１のグループに属する次の行の走査電極を選択している。また、例えば、走査電極ドライバ２は、第２のグループに属する第９行の走査電極の選択期間Ｔ２の後、１選択期間（具体的には、選択期間Ｔ３）分の期間を空けてから、第２のグループに属する次の行の走査電極を選択している。上記の選択順序は、第２の条件も満たしている。
【００５５】
なお、個々の走査電極が選択されているときに、信号電極ドライバ３は、選択行の画像データに応じて、各信号電極３の電位をＶ５〜Ｖ３の範囲の電位に設定する。この結果、選択行の画素の液晶には、Ｖ０−Ｖ３以上の電圧が印加され、選択行の画素においては、バックライトの光の透過率が高まる。また、非選択行の画素の液晶の印加電圧は、Ｖ４−Ｖ５以下であり、液晶は垂直配向状態を保つ。そのため、非選択行の画素において、バックライト側の偏光板（第１の偏光板２６）を通過した直線偏光は、第２の偏光板２７に吸収され、透過率は０となる。
【００５６】
このような動作により、画像データに応じた画像が液晶パネル１に表示される。
【００５７】
上記の例では正極性駆動の場合を例に説明したが、負極性駆動の場合、走査電極ドライバ２は、選択した走査電極の電位をＶ５に設定し、他の各走査電極の電位をＶ１に設定すればよい。また、信号電極ドライバ３は、選択行の画像データに応じて、各信号電極３の電位をＶ２〜Ｖ０の範囲の電位に設定すればよい。その他の点に関しては、正極性駆動時と同様である。
【００５８】
本実施形態によれば、走査電極ドライバ２は、第１のグループおよび第２のグループから交互に走査電極を選択する。従って、隣り合う走査電極が続けて選択されることがない。そのため、液晶分子の流動を防止することができ、縦筋むらの発生を抑えることができる。
【００５９】
また、本実施形態によれば、縦筋むらだけでなく、振り筋の発生も抑えることができる。前述の第１の条件および第２の条件を満たすことと、振り筋の発生防止との因果関係は明確ではないが、第１の条件および第２の条件を満たすことにより、縦筋むらだけでなく、振り筋の発生も抑えられることを実験により確認した。
【００６０】
また、特許文献１に記載の技術とは異なり、本発明では、オフ信号ラインとする行を設ける必要がなく、行全体が黒色となる行が生じないようにすることができる。
【００６１】
なお、制御部３（図１参照）は、走査電極ドライバ２および信号電極ドライバ３に対して、正極性駆動と負極性駆動の切替を定期的に行わせてもよい。例えば、制御部３は、１フレーム毎に正極性駆動と負極性駆動を切り替えるように走査電極ドライバ２および信号電極ドライバ３を制御してもよい。あるいは、１選択期間毎に正極性駆動と負極性駆動を切り替えるように走査電極ドライバ２および信号電極ドライバ３を制御してもよい。また、予め定められた選択期間の整数倍の期間毎に正極性駆動と負極性駆動を切り替えるように走査電極ドライバ２および信号電極ドライバ３を制御してもよい。この点は、後述の各実施形態においても同様である。
【００６２】
［実施形態２］第２の実施形態では、走査電極のグループの数を２ｎで表したときに、ｎが２以上の整数である。すなわち、第２の実施形態では、走査電極のグループの数は４以上の偶数となる。
【００６３】
第２の実施形態の液晶表示装置も図１と同様に表すことができ、以下、図１を用いて、第２の実施形態について説明する。
【００６４】
以下の説明では、ｎ＝２であり、グループの数が４である場合を示す。この場合、液晶パネル１（図１参照）に４ｋ本の走査電極を設ければよい。４ｋ本の走査電極１２において、第１行から第ｋ行まで連続して並ぶｋ本の走査電極が第１のグループとなる。第ｋ＋１行から第２ｋ行まで連続して並ぶｋ本の走査電極が第２のグループとなる。第２ｋ＋１行から第３ｋ行まで連続して並ぶｋ本の走査電極が第３のグループとなる。そして、第３ｋ＋１行から第４ｋ行まで連続して並ぶｋ本の走査電極が第４のグループとなる。このように走査電極のグループは、第１行の走査電極を含むグループ側から順序付けられる。
【００６５】
液晶パネル１の構成は、第１の実施形態と同様であるが、走査電極１２が上記のようにグループ分けされる点が第１の実施形態と異なる。
【００６６】
走査電極ドライバ２は、奇数番目のグループおよびその次の偶数番目のグループに関して、前述の第１の条件および第２の条件を満たすように、個々の走査電極を選択する。そして、その２つのグループに属する全ての走査電極の選択を終了すると、次の奇数番目のグループおよびその次の偶数番目のグループに属する各走査電極の選択を開始する。この場合にも、走査電極ドライバ２は、第１の条件および第２の条件を満たすように、個々の走査電極を選択する。
【００６７】
すなわち、走査電極ドライバ２は、最初に、第１のグループおよび第２のグループに属する各走査電極を、第１の条件および第２の条件を満たすように選択する。第１のグループおよび第２のグループに属する各走査電極の選択を終了すると、走査電極ドライバ２は、第３のグループおよび第４のグループに属する各走査電極を、第１の条件および第２の条件を満たすように選択する。
【００６８】
信号電極ドライバ３は、第１の実施形態における信号電極ドライバ３と同様に、走査電極ドライバ２によって選択された走査電極に対応する行の画像データに応じて、各信号電極の電位を設定する。
【００６９】
制御部４は、第１の実施形態における制御部４と同様に、走査電極ドライバ２および信号電極ドライバ３に行切替信号を入力する。
【００７０】
次に、本実施形態において、走査電極ドライバ２が走査電極１２を選択する動作について、具体的に説明する。図５は、第２の実施形態における走査電極１２の選択順序の例を示す模式図である。図４と同様に、図５においても横軸は時間の経過を表す。また、図５では、走査電極の総数が１６本であり、１つのグループに属する走査電極数が４である場合を示す。従って、第１行から第４行までの走査電極が第１のグループに分類される。第５行から第８行までの走査電極が第２のグループに分類される。第９行から第１２行までの走査電極が第３のグループに分類される。第１３行から第１６行までの走査電極が第４のグループに分類される。
【００７１】
以下の説明では、ＩＡＰＴ駆動法で正極性駆動を行う場合を例にする。
【００７２】
走査電極ドライバ２は、奇数番目のグループとその次の偶数番目のグループからなる２グループの組毎に、第１の条件および第２の条件を満たすように走査電極を選択する。
【００７３】
また、走査電極ドライバ２は、第１のグループに近い方から順に、２グループの組を選択していく。従って、走査電極ドライバ２は、まず、第１のグループおよび第２のグループの組から走査電極を選択する。
【００７４】
具体的には、走査電極ドライバ２は、フレームの最初の選択期間Ｔ１の間、第１のグループに属する第１行の走査電極を選択する（図５参照）。そして、走査電極ドライバ２は、第１行の走査電極の電位をＶ０に設定し、他の各行の走査電極の電位をＶ４に設定する。
【００７５】
選択期間Ｔ１が終了すると、走査電極ドライバ２は、次の選択期間Ｔ２において、第２のグループに属する第５行の走査電極を選択する（図５参照）。そして、走査電極ドライバ２は、第５行の走査電極の電位をＶ０に設定し、他の各行の走査電極の電位をＶ４に設定する。
【００７６】
選択期間Ｔ２が終了すると、走査電極ドライバ２は、次の選択期間Ｔ３において、第１のグループに属する第２行の走査電極を選択する（図５参照）。そして、走査電極ドライバ２は、第２行の走査電極の電位をＶ０に設定し、他の各行の走査電極の電位をＶ４に設定する。
【００７７】
選択期間Ｔ３が終了すると、走査電極ドライバ２は、次の選択期間Ｔ４において、第２のグループに属する第６行の走査電極を選択する（図５参照）。そして、走査電極ドライバ２は、第６行の走査電極の電位をＶ０に設定し、他の各行の走査電極の電位をＶ４に設定する。
【００７８】
以後、同様に、走査電極ドライバ２は、第１のグループの走査電極と第２のグループの走査電極を交互に選択し、個々のグループ内では第１行（先頭行）に近い方から順に走査電極を選択する。
【００７９】
また、第１のグループおよび第２のグループの各走査電極の選択を終了すると、走査電極ドライバ２は、次の奇数番目のグループおよびその次の偶数番目のグループ（すなわち、第３、第４のグループ）から走査電極を選択する。このときにも、走査電極ドライバ２は、第３のグループの走査電極と第４のグループの走査電極を交互に選択し、個々のグループ内では第１行（先頭行）に近い方から順に走査電極を選択する（図５参照）。
【００８０】
なお、個々の走査電極が選択されているときに、信号電極ドライバ３は、選択行の画像データに応じて、各信号電極３の電位をＶ５〜Ｖ３の範囲の電位に設定する。
【００８１】
このように走査電極を選択した場合、第１の条件を満たしている。また、奇数番目のグループおよびその次の偶数場目のグループからなる２グループの組毎に、第２の条件を満たす。よって、縦筋むらおよび振り筋の発生を抑えることができる。
【００８２】
次に、第２の実施形態の他の例について説明する。図６は、第２の実施形態における走査電極１２の選択順序の他の例を示す模式図である。図６では、走査電極の総数が１６本であり、１つのグループに属する走査電極数が２である場合を示す。従って、第１行から順番に２行毎に走査電極を１つのグループに分類する。そして、第１行の走査電極を含むグループから順に、第１から第８までの８個のグループが定められる。
【００８３】
走査電極ドライバ２は、奇数番目のグループとその次の偶数番目の偶数番目のグループからなる２グループの組毎に、第１の条件および第２の条件を満たすように走査電極を選択する。また、走査電極ドライバ２は、第１のグループに近い方から順に、２グループの組を選択していく。これらの点は、前述の第２の実施形態で説明したとおりである。
【００８４】
走査電極ドライバ２は、まず、第１のグループおよび第２のグループの組から走査電極を選択する。
【００８５】
具体的には、走査電極ドライバ２は、フレームの最初の選択期間Ｔ１の間、第１のグループに属する第１行の走査電極を選択する（図６参照）。そして、走査電極ドライバ２は、第１行の走査電極の電位をＶ０に設定し、他の各行の走査電極の電位をＶ４に設定する。
【００８６】
選択期間Ｔ１が終了すると、走査電極ドライバ２は、次の選択期間Ｔ２において、第２のグループに属する第３行の走査電極を選択する（図６参照）。そして、走査電極ドライバ２は、第３行の走査電極の電位をＶ０に設定し、他の各行の走査電極の電位をＶ４に設定する。
【００８７】
選択期間Ｔ２が終了すると、走査電極ドライバ２は、次の選択期間Ｔ３において、第１のグループに属する第２行の走査電極を選択する（図６参照）。そして、走査電極ドライバ２は、第２行の走査電極の電位をＶ０に設定し、他の各行の走査電極の電位をＶ４に設定する。
【００８８】
選択期間Ｔ３が終了すると、走査電極ドライバ２は、次の選択期間Ｔ４において、第２のグループに属する第４行の走査電極を選択する（図６参照）。そして、走査電極ドライバ２は、第４行の走査電極の電位をＶ０に設定し、他の各行の走査電極の電位をＶ４に設定する。この結果、第１のグループおよび第２のグループの各走査電極の選択が終了する。
【００８９】
次に、走査電極ドライバ２は、第３、第４のグループから走査電極を選択する。このときにも、走査電極ドライバ２は、第３のグループの走査電極と第４のグループの走査電極を交互に選択し、個々のグループ内では第１行（先頭行）に近い方から順に走査電極を選択する（図６参照）。
【００９０】
第３のグループおよび第４のグループの各走査電極の選択を終了すると、走査電極ドライバ２は、同様に、第５、第６のグループから走査電極を選択する。このように、走査電極ドライバ２は、２グループの組毎に、第１の条件および第２の条件を満たすように走査電極を選択することを繰り返す。
【００９１】
信号電極ドライバ３の動作は、既に説明した動作と同様である。図６に示した選択順序においても、第１の条件を満たしている。また、奇数番目のグループおよびその次の偶数場目のグループからなる２グループの組毎に、第２の条件を満たす。よって、縦筋むらおよび振り筋の発生を抑えることができる。
【００９２】
第１の実施形態で示した図４と、第２の実施形態で示した図５および図６とを比較すると、図４に示す選択順序では、隣接する走査電極を連続して選択することはない。
【００９３】
一方、図５に示す選択順序では、奇数番目のグループおよびその次の偶数場目のグループからなる２グループの組では第２の条件を満たすが、その２グループの組の最後に選択される走査電極と、次の２グループの組の最初に選択される走査電極とは連続する。具体的には、互いに隣接する第８行および第９行の走査電極が連続して選択される（図５参照）。
【００９４】
また、図６に示す例のようにグループ数を増加させると、隣接する走査電極を連続して選択する回数が多くなる。例えば、図６に示す例では、第８行および第９行の他、第４行および第５行等でも、隣接する走査電極を連続して選択することになる。
【００９５】
互いに隣接する走査電極を連続して選択すると液晶分子の流動が生じることから、第１の実施形態および第２の実施形態では、第１の実施形態の方がより好ましい。なお、隣接する走査電極を連続して選択しないように、図８に示すように、第３のグループと第４のグループの選択の開始の順序を変えてもよい。すなわち、第１のグループおよび第２のグループの選択が終了した後、次に選択する走査電極を第４のグループに属する第１３行の走査電極とし、第１３行の走査電極を選択時電位に設定し、その他の行の走査電極を非選択時電位に設定する。そして、次の選択期間では、第３のグループに属する第９行の走査電極を選択時電位に設定し、その他の行の走査電極を非選択時電位に設定する。以降、第４のグループに属する第１４行の走査電極、第３のグループに属する第１０行の走査電極という順に、第４のグループの走査電極と第３のグループの走査電極とを交互に選択する。このような選択順序（図８参照）とすることで、隣接する走査電極を連続して選択することがなくなり、液晶分子の流動に基づくと推察される縦筋むらが改善される。
【００９６】
［実施形態３］図７は、本発明の第３の実施形態の液晶表示装置の例を示すブロック図である。図１に示す要素と同様の要素については、図１と同様の符号を付し説明を省略する。
【００９７】
第３の実施形態では、走査電極の分類態様が予め複数種類定められる。いずれの分類態様においても、連続して並ぶ一定数の走査電極群が１つのグループになるように、液晶パネル１に設けられた走査電極が第１行（先頭行）側から順にグループに分類される点、および、グループの数が２以上の偶数になるという点は共通である。
【００９８】
例えば、説明を簡単にするために、走査電極の総数が１６本であるとする。この場合、グループ数を２とする分類態様、グループ数を４とする分類態様、およびグループ数を８とする分類態様が考えられる。なお、この３種類の分類態様は、それぞれ、図４、図５および図６に示す選択順序に対応している。
【００９９】
メモリ７には、走査電極の分類態様毎の走査電極の選択順序がＬＵＴ（Look Up Table ）として記憶される。例えば、グループ数を２とする分類態様における走査電極の選択順序として、図４に示す走査電極の選択順序がメモリ７に記憶される。同様に、グループ数を４とする分類態様における走査電極の選択順序として、図５に示す選択順序がメモリ７に記憶される。同様に、グループ数を８とする分類態様における走査電極の選択順序として、図６に示す選択順序がメモリ７に記憶される。
【０１００】
なお、走査電極の分類態様の種類は３種類に限定されず、複数種類定められていればよい。
【０１０１】
走査電極ドライバ２ａには、予め定められた複数種類の分類態様のうち、いずれかを指定する情報が入力される。そして、走査電極ドライバ２ａは、指定された分類態様における走査電極の選択順序をメモリ７から読み込み、その選択順序で走査電極を選択する。また、分類態様の指定が変更されると、走査電極ドライバ２ａは、変更後の分類態様における走査電極の選択順序をメモリ７から読み込み、その選択順序で走査電極を選択する。
【０１０２】
例えば、グループ数を２とする分類態様が指定されると、走査電極ドライバ２ａは、図４に示す走査電極の選択順序をメモリ７から読み込み、第１の実施形態と同様に走査電極を選択する。
【０１０３】
また、グループ数を４とする分類態様が指定されると、走査電極ドライバ２ａは、図５に示す走査電極の選択順序をメモリ７から読み込み、第２の実施形態で説明したように、図５に示す選択順序で走査電極を選択する。
【０１０４】
また、グループ数を８とする分類態様が指定されると、走査電極ドライバ２ａは、図６に示す走査電極の選択順序をメモリ７から読み込み、第２の実施形態で説明したように、図６に示す選択順序で走査電極を選択する。
【０１０５】
信号電極ドライバ３は、第１の実施形態や第２の実施形態における信号電極ドライバ３と同様に、走査電極ドライバ２によって選択された走査電極に対応する行の画像データに応じて、各信号電極の電位を設定する。
【０１０６】
本実施形態によれば、走査電極の分類態様を指定することで走査電極の選択順序を変更することができる。従って、状況に応じて、縦筋むらや振り筋をより抑えることができる走査電極の選択順序を指定することができる。
【産業上の利用可能性】
【０１０７】
本発明は、垂直配向型の液晶表示装置に好適に適用される。
【符号の説明】
【０１０８】
１  液晶パネル
２，２ａ  走査電極ドライバ
３  信号電極ドライバ
４  制御部
７  メモリ
１８  配向膜
【図１】
2013152298.tif 000003
【図２】
2013152298.tif 000004
【図３】
2013152298.tif 000005
【図４】
2013152298.tif 000006
【図５】
2013152298.tif 000007
【図６】
2013152298.tif 000008
【図７】
2013152298.tif 000009
【図８】
2013152298.tif 000010